(57)【要約】【課題】基板の搬送にともなう金属の汚染を抑制して高品質な半導体基板を製造できる半導体製造装置、半導体基板の製造方法及び搬送ロボットを提供する。【解決手段】気相成長装置１の搬送チャンバー３と反応チャンバー４の間には搬送チャンバー３と反応チャンバー４の隔離を開閉可能なバルブゲート１８が備わる。バルブゲート１８は搬送チャンバー３と反応チャンバー４を連通する第３流路１８ａと第３流路１８ａの連通を開閉する第２隔離弁１１ａを備える。シリコン基板Ｗを搬送する搬送ロボット６の伸縮可能なアーム６ｂには阻止板６ｂ１が備わる。搬送チャンバー３から反応チャンバー４に基板を搬入するために第２隔離弁１１ａが第３流路１８ａの連通を開放している間にシリコン基板Ｗを搬送するアーム６ｂが反応チャンバー４に向けて伸長することで、阻止板６ｂ１が第３流路１８ａの流通を遮り、搬送チャンバー３から反応チャンバー４への気流を遮る。【選択図】図３Ｂ
2016058481.tif 000002
【特許請求の範囲】
【請求項１】
基板上に反応ガスを導入して前記基板を処理する反応チャンバーと、
前記反応チャンバーに前記基板を搬入し、前記基板を処理した処理基板を前記反応チャンバーから搬出する搬送ロボットを有する搬送チャンバーと、
前記反応チャンバーと前記搬送チャンバーの間を前記基板及び前記処理基板が往来可能な往来空間を有するように連通する連通部と、
を備える半導体製造装置において、
前記搬送ロボットは、前記搬送ロボットが前記基板を搬入及び前記処理基板を搬出する搬送中に前記往来空間を流路とする気体の流れを阻止する阻止板を有することを特徴とする半導体製造装置。
【請求項２】
前記阻止板は、前記搬送中に前記搬送チャンバーと前記連通部の連通を閉鎖する請求項１に記載の半導体製造装置。
【請求項３】
前記阻止板は、前記搬送中に前記流路内に位置して前記流路の少なくとも一部を遮る請求項１に記載の半導体製造装置。
【請求項４】
請求項１ないし３のいずれか１項に記載の半導体製造装置により半導体基板を製造することを特徴とする半導体基板の製造方法。
【請求項５】
基板上に反応ガスを導入して前記基板を処理する反応チャンバーと、前記反応チャンバーに前記基板を搬入し、前記基板を処理した処理基板を前記反応チャンバーから搬出する搬送チャンバーと、前記反応チャンバーと前記搬送チャンバーの間を前記基板及び前記処理基板が往来可能な往来空間を有するように連通する連通部を備える半導体製造装置における前記反応チャンバーに前記基板を搬入及び前記反応チャンバーから前記処理基板を搬出する搬送ロボットにおいて、
前記搬送ロボットは、前記搬送ロボットが前記基板を搬入及び前記処理基板を搬出する搬送中に前記往来空間を流路とする気体の流れを阻止する阻止板を有することを特徴とする搬送ロボット。
【発明の詳細な説明】
【技術分野】
【０００１】
本発明は、半導体製造装置、半導体基板の製造方法及び搬送ロボットに関する。
【背景技術】
【０００２】
近年、ＣＣＤ（Ｃｈａｒｇｅ  Ｃｏｕｐｌｅｄ  Ｄｅｖｉｃｅ）やＣＩＳ（ＣＭＯＳ  Ｉｍａｇｅ  Ｓｅｎｓｏｒ）等の撮像素子用基板として、シリコンエピタキシャルウェーハが使用される。シリコンエピタキシャルウェーハはシリコンウェーハ上にシリコン膜を気相成長させている。撮像素子用のエピタキシャルウェーハでは、ウェーハ内に金属不純物が存在すると白キズ（白点）と呼ばれる不良が発生する。そのため、ウェーハ中の金属不純物（重金属汚染）のレベルを低くすることが重要となっている。
【０００３】
エピタキシャル層を気相成長する際に反応炉内（反応チャンバー内）に金属不純物が存在すると、製造するエピタキシャルウェーハが金属不純物により汚染をされる。汚染源の金属不純物としては、例えば原料に用いるシリコン結晶やシリコン含有化合物が考えられる。その他に気相成長装置のメンテナンス（洗浄）時に付着した金属不純物、反応チャンバーを構成する素材に含まれる金属不純物、気相成長装置及び配管系に通常用いられるステンレス成分等が考えられる。
【０００４】
ところで、気相成長装置は定期的なメンテナンスが必要であり、例えば気相成長装置を大気開放して反応チャンバーや配管の洗浄等が行われる。また、気相成長装置によりシリコンエピタキシャルウェーハの製造を繰り返すと反応チャンバー内にシリコンが次第に堆積していく。この堆積したシリコン堆積物がパーティクル等の発生原因となる。そのため、定期的に反応チャンバー内のシリコン堆積物を除去（反応チャンバー内のクリーニング）する必要がある。反応チャンバーをクリーニングする方法としては、例えば、反応チャンバー内にＨＣＬガスを流して、そのＨＣＬガスにより反応チャンバー内をベーパーエッチングする方法が知られる。
【０００５】
しかし、反応チャンバーのメンテナンスやベーパーエッチングの直後は、気相成長装置の汚染度が一時的に悪化する。また、反応チャンバー内への微量な酸素混入によってもエピタキシャルウェーハに対する金属不純物の汚染が悪化することが分かっている。エピタキシャル層を気相成長させる基板を外部から気相成長装置内に搬入する場合、基板が搬入される搬入チャンバー（例えば、ロードロックチャンバー等）は大気開放状態となる。よって、気相成長装置内に基板を搬入する度に搬入チャンバーを含む基板の搬送系統（搬入チャンバーや基板を搬入チャンバーから反応チャンバーに搬送する搬送チャンバー等）に大気成分や外部の汚染が持ち込まれる。基板の搬送系統（搬送チャンバー）と反応チャンバーは、通常、隔離弁により両者の繋がりが遮断されるが、基板を反応チャンバーに搬送する場合には隔離弁が開放され、搬送チャンバーと反応チャンバーが一続きになる。それ故、搬送チャンバーから反応チャンバーに残留大気(特に酸素)が混入し、残留大気が製造されるエピタキシャルウェーハの金属不純物の汚染を引き起こすことが懸念される。
【０００６】
反応チャンバーに混入する大気対策として、気相成長装置内の酸素濃度を酸素濃度計により管理することが考えられる。しかし、微量な酸素濃度を検出するために高精度の計器を導入する必要があり、計器を導入すべき対象が多数存在する場合は計器を導入するコストが高くなる。そのため、酸素濃度計を用いた大気対策は現実的ではない。また、酸素濃度計では、酸素濃度しか濃度を管理できず、酸素濃度以外の汚染源が反応チャンバーに混入した場合、汚染を抑制することは困難である。
【０００７】
このように基板の搬送系統（搬入・搬送チャンバー）に残留大気が持ち込まれると、搬送チャンバーと反応チャンバーとの間を搬送される基板の基板搬送時に残留大気が反応チャンバーに混入するのを効果的に防げられない。搬送チャンバーと反応チャンバーの汚染を防止する関連技術として、特許文献１及び２には、搬送チャンバーと反応チャンバーを遮断する遮断機構が開示されている。
【先行技術文献】
【特許文献】
【０００８】
【特許文献１】特開２０００−３１０７１号公報
【特許文献２】特開２０１０−２０２９８２号公報
【発明の概要】
【発明が解決しようとする課題】
【０００９】
しかしながら、特許文献１及び２では、基板を搬送する搬送ロボットと独立して遮断機構が設けられる。よって、搬送ロボットにより基板が搬送される際は、搬送チャンバーと反応チャンバーの間が遮断できず、搬送チャンバーから反応チャンバーへ大気が混入するのを防止できない。
【００１０】
本発明の課題は、基板の搬送にともなう金属汚染を抑制して高品質な半導体基板を製造できる半導体製造装置、半導体基板の製造方法及び搬送ロボットを提供することにある。
【課題を解決するための手段及び発明の効果】
【００１１】
本発明の半導体製造装置は、
基板上に反応ガスを導入して基板を処理する反応チャンバーと、
反応チャンバーに基板を搬入し、基板を処理した処理基板を反応チャンバーから搬出する搬送ロボットを有する搬送チャンバーと、
反応チャンバーと搬送チャンバーの間を基板及び処理基板が往来可能な往来空間を有するように連通する連通部と、
を備える半導体製造装置において、
搬送ロボットは、搬送ロボットが基板を搬入及び処理基板を搬出する搬送中に往来空間を流路とする気体の流れを阻止する阻止板を有することを特徴とする。
【００１２】
本発明者らは、反応チャンバーと搬送チャンバーの間を基板及び処理基板が搬送される際、反応チャンバーと搬送チャンバーを連通する連通部を通して搬送チャンバーから反応チャンバーに汚染が混入するのを発見した。つまり、反応チャンバーと搬送チャンバーの間を基板及び処理基板が往来可能な往来空間を流路として搬送チャンバーから反応チャンバーに汚染が混入するのを発見した。搬送ロボットが基板を搬入及び処理基板を搬出する搬送中は、搬送チャンバーと反応チャンバーを連通する連通部が開放される。そのため、基板及び処理基板の搬送中に搬送チャンバーから反応チャンバーに汚染が混入するのを防ぐ必要がある。よって、基板及び処理基板の搬送時に搬送チャンバーと反応チャンバーの間の連通部を流路とする雰囲気ガスの流れを遮る阻止板を搬送ロボットに備えることで、反応チャンバーに汚染が混入するのを抑制できる。したがって、製造される半導体基板が金属不純物に汚染されるのを低減できる。
【００１３】
本発明の実施態様では、阻止板は、搬送中に搬送チャンバーと連通部の連通を閉鎖することができる。よって、搬送中に連通を閉鎖することで、一時的に往来空間を流路とする気体の流れを遮断できる。
【００１４】
また、本発明の実施態様では、阻止板は、搬送中に流路内に位置して流路の少なくとも一部を遮ることができる。よって、搬送中に阻止版が流路内に位置することで、一時的に往来空間を流路とする気体の流れを遮ることができる。
【００１５】
更に、上記の半導体製造装置により半導体基板を製造することができる。そのため、金属不純物による汚染が低減した半導体基板を製造できる。
【００１６】
また、本発明の搬送ロボットは、
基板上に反応ガスを導入して基板を処理する反応チャンバーと、反応チャンバーに基板を搬入し、基板を処理した処理基板を反応チャンバーから搬出する搬送チャンバーと、反応チャンバーと搬送チャンバーの間を基板及び処理基板が往来可能な往来空間を有するように連通する連通部を備える半導体製造装置における反応チャンバーに基板を搬入及び反応チャンバーから処理基板を搬出する搬送ロボットにおいて、
搬送ロボットは、搬送ロボットが基板を搬入及び処理基板を搬出する搬送中に往来空間を流路とする気体の流れを阻止する阻止板を有することを特徴とする。
【００１７】
本発明は、基板を搬入及び処理基板を搬出する搬送ロボットとして構成したものであり、搬送中に往来空間を流路とする気体の流れを阻止板で阻止することにより反応チャンバーに汚染が混入するのを抑制できる。したがって、搬送ロボットが搬送する処理基板が金属不純物により汚染されるのを低減できる。
【図面の簡単な説明】
【００１８】
【図１】本発明の気相成長装置の概略を示す概略図。
【図２】図１の気相成長装置におけるＡ−Ａ模式断面図（ただし、ロードロックチャンバーの内部機構は省略した）。
【図３Ａ】図２の搬送ロボットが基板を反応チャンバーに搬入する一連の流れを説明する模式断面図（第３流路が閉じられている状況）。
【図３Ｂ】図３Ａに続き、搬送ロボットが開放された第３流路に進行する状況を示す模式断面図。
【図３Ｃ】図３Ｂに続き、搬送ロボットの阻止板が搬送口を閉鎖する状況を示す模式断面図。
【図４】比較例及び実施例のエピタキシャルウェーハ製造工程を示すフロー図。
【図５】ＩＣＰ−ＭＳ法によりエピタキシャルウェーハの表面のＭｏ濃度を測定した比較例と実施例の結果を示したグラフ。
【図６】実施例と比較例の搬送チャンバーの酸素濃度を示したグラフ。
【図７】実施例と比較例の反応チャンバーの酸素濃度を示したグラフ。
【発明を実施するための形態】
【００１９】
図１及び図２は本発明で使用される枚葉式の気相成長装置１の一例を示す。気相成長装置１は、シリコン基板Ｗの表面上にシリコン単結晶膜（エピタキシャル層）を気相成長してシリコンエピタキシャルウェーハ（処理後のシリコン基板Ｗ’）を製造する装置である。気相成長装置１は、例えば、ＣＣＤやＣＩＳ等の撮像素子用基板に使用されるシリコンエピタキシャルウェーハを製造する。
【００２０】
気相成長装置１は、シリコン基板Ｗ、Ｗ’を保持するロードロックチャンバー２とシリコン基板Ｗを搬送する搬送チャンバー３とシリコン基板Ｗを処理する反応チャンバー４及びクーリングチャンバー５を備える。
【００２１】
ロードロックチャンバー２は、処理前のシリコン基板Ｗを収容する第１チャンバー２ａと処理後のシリコン基板Ｗ’を収容する第２チャンバー２ｂを備える。第１チャンバー２ａは、処理前のシリコン基板Ｗを複数保持する第１カセットＣ１と、シリコン基板Ｗを第１チャンバー２ａから搬出する搬送口Ｇ１を有する。第２チャンバー２ｂは、処理後のシリコン基板Ｗ’を複数保持可能な第２カセットＣ２と、シリコン基板Ｗ’を第２チャンバー２ｂに搬入する搬送口Ｇ２を有する。第１チャンバー２ａ内及び第２チャンバー２ｂ内はそれぞれ、図示しないガス導入管とガス排出管を備え、導入管から雰囲気ガスが供給され、排出管から雰囲気ガスが排出される。例えば、雰囲気ガスとして窒素ガスが用いられ、第１及び第２チャンバー２ａ、２ｂ内は窒素雰囲気にされる。
【００２２】
搬送チャンバー３はロードロックチャンバー２と反応チャンバー４の間に挟まれるように位置する。搬送チャンバー３は、ロードロックチャンバー２から反応チャンバー４にシリコン基板Ｗを搬送する。また、反応チャンバー４からクーリングチャンバー５経てロードロックチャンバー２にシリコン基板Ｗ’を搬送する。図２に示すように搬送チャンバー３は、シリコン基板Ｗ、Ｗ’を搬送する搬送ロボット６と、チャンバーの間（チャンバー２と３、チャンバー３と４）を隔離する可動弁７と、ガス排出管８と、シリコン基板Ｗ、Ｗ’の出入口となる搬送口Ｇ３、Ｇ４（図１参照）、Ｇ５を備える。図示省略してあるが、搬送チャンバー３にはガス排出管８に対応してガス導入管も備わる。
【００２３】
搬送ロボット６は、シリコン基板Ｗ、Ｗ’が載置されるブレード６ａと、ブレード６ａに接続される伸縮可能なアーム６ｂと、アーム６ｂを伸縮させる可動機構６ｃと、アーム６ｂを回転させる回転機構６ｄを備える。ブレード６ａは二股状に形成され、上面にシリコン基板Ｗ、Ｗ’が載置される。ブレード６ａは例えば石英製である。ブレード６ａに接続されるアーム６ｂはアーム６ｂの外周部に沿って鍔状の阻止板６ｂ１を備え、伸縮機構６ｃにより伸縮する。伸縮機構６ｃは、図示しないモーターを介してアームを水平方向に伸縮可能にする。回転機構６ｄは、図示しないモーターを介して軸線Ｏ１回りにアーム６ｂを回転可能にする。
【００２４】
アーム６ｂを可動させる伸縮機構６ｃ及び回転機構６ｄには制御部９が接続される。制御部９は、図示しないＣＰＵと、各機構６ｃ、６ｄに備わるモーターを駆動する駆動回路を有する。制御部９（ＣＰＵと駆動回路）によりアーム６ｂの伸縮、回転が制御される。よって、搬送ロボット６は、シリコン基板Ｗをブレード６ａに載置した状態で第１チャンバー２ａから反応チャンバー４にシリコン基板Ｗを搬送する。また、シリコン基板Ｗ’をブレード６ａに載置した状態で反応チャンバー４からクーリングチャンバー５や第２チャンバー２ｂにシリコン基板Ｗ’を搬送する。
【００２５】
また、可動弁７は第１可動弁１０と第２可動弁１１を有する。第１可動弁１０は、搬送口Ｇ３を閉鎖することで第１チャンバー２ａと搬送チャンバー３の間を隔離可能な第１隔離弁１０ａと、第１隔離弁１０ａを搬送口Ｇ３に向けて進行後退可能に可動する可動機構１０ｂを備える。第１隔離弁１０ａは搬送口Ｇ３に対向するように位置する。可動機構１０ｂは、図示しないエアシリンダーを介して第１隔離弁１０ａを搬送口Ｇ３に向けて進行及び後退させる。可動機構１０ｂは第１隔離弁１０ａを進行させて搬送口Ｇ３を閉鎖させることで、第１チャンバー２ａと搬送チャンバー３の間が隔離する。なお、搬送口Ｇ３と同様に搬送口Ｇ４に対しても別途、独立して第１可動弁１０が配置される。
【００２６】
第２可動弁１１は、搬送口Ｇ５を閉鎖することで搬送チャンバー３と反応チャンバー４の間を隔離可能な第２隔離弁１１ａと、第２隔離弁１１ａを搬送口Ｇ５に向けて進行後退可能に可動する可動機構１１ｂを備える。第２隔離弁１１ａは搬送口Ｇ５に対向するように位置する。可動機構１１ｂは、図示しないエアシリンダーを介して第２隔離弁１１ａを搬送口Ｇ５に向けて進行及び後退させる。可動機構１１ｂは第２隔離弁１１ａを進行させて搬送口Ｇ５を閉鎖させることで、搬送チャンバー３と反応チャンバー４の間が隔離する。
【００２７】
第１及び第２隔離弁１０ａ、１１ａをそれぞれ駆動させる駆動機構１０ｂ、１１ｂには弁制御部１２が接続される。弁制御部１２は、図示しないＣＰＵと、各機構１０ｂ、１１ｂに備わるエアシリンダーを駆動する駆動回路を有する。弁制御部１２（ＣＰＵと駆動回路）により第１及び第２隔離弁１０ａ、１１ａの可動が制御される。よって、シリコン基板Ｗ、Ｗ’の搬送に応じてロードロックチャンバー２と搬送チャンバー３の間や搬送チャンバー３と反応チャンバー４の間が隔離又は連通する。
【００２８】
また、ガス導入管（図示省略）及びガス排出管８は、ガス導入管が搬送チャンバー３内に雰囲気ガスを導入し、ガス排出管８により搬送チャンバー３内に導入された雰囲気ガスが排出される。例えば、雰囲気ガスとして窒素ガスが用いられ、搬送チャンバー３内は窒素雰囲気にされる。
【００２９】
搬送口Ｇ３はシリコン基板Ｗを第１チャンバー２ａから搬送チャンバー３に搬入する搬入口である。搬送口Ｇ４（図１参照）はシリコン基板Ｗ’を搬送チャンバー３から第２チャンバー２ｂに搬出する搬出口である。搬送口Ｇ５はシリコン基板Ｗを搬送チャンバー３から反応チャンバー４に搬入及びシリコン基板Ｗ’を反応チャンバー４から搬送チャンバー３に搬出する搬入搬出口である。なお、搬送口Ｇ３〜Ｇ５は、それぞれの開口が各隔離弁１０ａ、１１ａに対向するように搬送チャンバー３の下方に傾斜して配置される。
【００３０】
反応チャンバー４は搬送チャンバー３に隣接して位置する。反応チャンバー４は、シリコン基板Ｗ上に気相成長ガス（反応ガス）を導入してシリコン基板Ｗ上に薄膜（エピタキシャル層）を成長して、シリコン基板Ｗ’（エピタキシャルウェーハ）を製造する。反応チャンバー４は、シリコン基板Ｗを水平に支持するサセプタ１３と、サセプタ１３を支持する支持部１４と、サセプタ１３を可動する可動機構１５と、ガス導入管（図示省略）及びガス排出管１６を備える。また、反応チャンバー４にはシリコン基板Ｗの搬入口及びシリコン基板Ｗ’の搬出口となる搬送口Ｇ６を備える。
【００３１】
可動機構１５は、支持部１４を通してサセプタ１３を軸線Ｏ２回りに回転及びサセプタ１３を上下に可動させる。ガス導入管は、気相成長ガス（反応ガス）をサセプタ１３の上側の領域に導入するとともに、サセプタ１３上のシリコン基板Ｗの主表面上に供給する。気相成長ガスは、原料ガス（例えばＴＣＳ（トリクロロシラン））、原料ガスを希釈するキャリアガス（例えば水素）及びエピタキシャル層に導電型を付与するドーパントガスを含む。また、ガス導入管の反対側に反応チャンバー４内のガスを排出するガス排出管１６が接続される。なお、反応チャンバー４内の圧力は、ロードロックチャンバー２及び搬送チャンバー３より低く設定される。図示省略するが、反応チャンバー４の周囲（例えば、反応チャンバー４の上下）には、気相成長時にシリコン基板Ｗをエピタキシャル成長温度（例えば、９００〜１２００℃）に加熱するハロゲンランプなどのランプが備わる。
【００３２】
また、ロードロックチャンバー２と搬送チャンバー３の間には開閉可能なバルブゲート１７が備わる。図１に示すようにバルブゲート１７は、第１チャンバー２ａと搬送チャンバー３の間に位置する第１バルブゲート１７ａと、第２チャンバー２ｂと搬送チャンバー３の間に位置する第２バルブゲート１７ｂを備える。図２に示すように第１バルブゲート１７ａは、搬送口Ｇ１と搬送口Ｇ３を連通して第１チャンバー２ａと搬送チャンバー３を連通する流路となる第１流路１７ａ１と、第１可動弁１０が備わる。なお、第１流路１７ａ１は、シリコン基板Ｗが往来可能な大きさに形成される。図２には示されないが、第２バルブゲート１７ｂ（図１参照）は第１バルブゲート１７ａと同様に、搬送口Ｇ２と搬送口Ｇ４を連通して第２チャンバー２ｂと搬送チャンバー３を連通する流路となる第２流路と、第１可動弁１０が備わる。なお、第２流路はシリコン基板Ｗ’が往来可能な大きさに形成される。
【００３３】
搬送チャンバー３と反応チャンバー４の間にも開閉可能なバルブゲート１８が備わる。バルブゲート１８は、搬送口Ｇ５と搬送口Ｇ６を連通して搬送チャンバー３と反応チャンバー４を連通する流路となる第３流路１８ａと、第２可動弁１１が備わる。第３流路１８ａはシリコン基板Ｗ、Ｗ’が往来可能に形成される（往来空間Ｓを有する）。なお、第３流路１８ａが本発明における「連通部」の一例に相当する。
【００３４】
バルブゲート１７、バルブゲート１８はそれぞれ弁制御部１２により各流路１７ａ１、１８ａの開閉が制御される。よって、シリコン基板Ｗ、Ｗ’の搬送に応じてロードロックチャンバー２と搬送チャンバー３の間や搬送チャンバー３と反応チャンバー４の間が隔離されたり、開放（連通）されたりする。
【００３５】
以上の構成を有した気相成長装置１によりシリコンエピタキシャルウェーハ（シリコン基板Ｗ’）が製造される。シリコン基板Ｗ’の製造に先立ち、シリコン基板Ｗが外部（大気雰囲気）からロードロックチャンバー２内に搬入される。よって、シリコン基板Ｗの搬入によりロードロックチャンバー２内は大気雰囲気となる。そこで、反応チャンバー４内へ大気が混入するのを防止するために、不活性ガス（例えば窒素）によりロードロックチャンバー２内の雰囲気が置換される。
【００３６】
一定時間が経過してロードロックチャンバー２内の置換が完了すると、ロードロックチャンバー２と搬送チャンバー３の間のバルブゲート１７を開放する。バルブゲート１７が開放されると搬送ロボット６がロードロックチャンバー２（第１チャンバー２ａ）のカセットＣ１からシリコン基板Ｗを１枚抜き取り、シリコン基板Ｗをブレード６ａに載置する。搬送ロボット６はシリコン基板Ｗをブレード６ａに載置した状態でシリコン基板Ｗをロードロックチャンバー２から搬送チャンバー３に搬送する。
【００３７】
シリコン基板Ｗが搬送チャンバー３内に搬入されると、バルブゲート１７の第１隔離弁１０ａが搬送口Ｇ３を閉鎖する。すると、搬送チャンバー３と反応チャンバー４の間のバルブゲート１８の第２隔離弁１１ａが搬送口Ｇ５を開放する。搬送ロボット６のブレード６ａに載置されたシリコン基板Ｗは搬送口Ｇ５を経て第３流路１８ａを通過して、反応チャンバー４内のサセプタ１３に搬送（載置）される。
【００３８】
シリコン基板Ｗが反応チャンバー４内に搬入されると、搬送ロボット６がサセプタ１３にシリコン基板Ｗを渡し、シリコン基板Ｗがサセプタ１３上に載置される。その後、搬送ロボット６が反応チャンバー４内から退出して搬送チャンバー３内に戻ると、バルブゲート１８の第２隔離弁１１ａが搬送口Ｇ５を閉鎖する。そして、反応チャンバー４内ではシリコン基板Ｗ上にシリコンエピタキシャル層が形成され、シリコン基板Ｗ’が製造される。
【００３９】
反応チャンバー４内でのエピタキシャル成長処理が完了すると、バルブゲート１８の第２隔離弁１１ａが搬送口Ｇ５を開放する。バルブゲート１８が開放されると搬送ロボット６がサセプタ１３上のシリコン基板Ｗ’を受け取り、シリコン基板Ｗ’をブレード６ａに載置する。搬送ロボット６はシリコン基板Ｗ’をブレード６ａに載置した状態でシリコン基板Ｗ’を反応チャンバー４から搬送チャンバー３に搬送する。
【００４０】
シリコン基板Ｗ’が搬送チャンバー３内に搬入されると、バルブゲート１８の第２隔離弁１１ａが搬送口Ｇ５を閉鎖する。その後、シリコン基板Ｗ’はクーリングチャンバー５を経た後、ロードロックチャンバー２に搬送される。シリコン基板Ｗ’がロードロックチャンバー２に搬送される場合は、ロードロックチャンバー２（第２チャンバー２ｂ）と搬送チャンバー３の間のバルブゲート１７の第１隔離弁１０ａが搬送口Ｇ４（図１参照）を開放する。搬送ロボット６のブレード６ａに載置されたシリコン基板Ｗ’は搬送口Ｇ４を経て第２流路を通過して、第２チャンバー２ｂ内のカセットＣ２に載置される。
【００４１】
以上、シリコン基板Ｗが搬送されてシリコン基板Ｗ’が製造される一連の流れを説明した。シリコン基板Ｗ、Ｗ’はチャンバー間（チャンバー２と３、チャンバー３と４）を搬送され、シリコン基板Ｗ、Ｗ’の搬送時には隔離されたチャンバー同士（チャンバー２と３、チャンバー３と４）が連通する。よって、シリコン基板Ｗ、Ｗ’が搬送される際、例えば反応チャンバー４に導入される気相成長ガス（反応性ガス）が搬送チャンバー３に逆流するおそれがある。そのため、反応チャンバー４に導入される気相成長ガス（反応性ガス）が搬送チャンバー３に逆流するのを防ぐために、搬送チャンバー３内の圧力は反応チャンバー４内の圧力より高く設定される。
【００４２】
そのため、シリコン基板Ｗを反応チャンバー４に搬入する際は、反応チャンバー４と搬送チャンバー３の間の第３流路１８ａを通り搬送チャンバー３の雰囲気ガスが反応チャンバー４内に流れ込む。この際、搬送チャンバー３の雰囲気ガスに残留大気が存在すると、反応チャンバー４に残留大気が持ち込まれ、製造されるシリコン基板Ｗ’に金属不純物の汚染が発生するおそれがある。そこで、反応チャンバー４内に残留大気が混入するのを防ぎ、製造されるシリコン基板Ｗ’に金属不純物の汚染が発生するのを抑制する必要がある。そのため、本発明ではシリコン基板Ｗを搬送する搬送ロボット６が阻止板６ｂ１を備える。以下、阻止板６ｂ１を備えた搬送ロボット６がシリコン基板Ｗを反応チャンバー４に搬入する一連の流れの詳細を説明する。なお、シリコン基板Ｗを反応チャンバー４に搬入する例を説明するが、シリコン基板Ｗ’を反応チャンバー４から搬出する場合でも同様に反応チャンバー４内に残留大気が混入する。
【００４３】
図２に示すように搬送ロボット６のアーム６ｂには阻止板６ｂ１が備わる。搬送チャンバー３から反応チャンバー４にシリコン基板Ｗが搬送される際は、ブレード６ａにシリコン基板Ｗが載置される。そして、シリコン基板Ｗが載置されたブレード６ａに接続されるアーム６ｂを、搬送口Ｇ５が開放されると開放された搬送口Ｇ５に向けて伸長する（図３Ａ→Ｂ）。アーム６ｂが伸長すると、アーム６ｂに接続されたブレード６ａが搬送口Ｇ５に向けて移動する。アーム６ｂが伸長するに従ってシリコン基板Ｗを載置したブレード６ａを先頭にシリコン基板Ｗが搬送口Ｇ５に入り、第３流路１８ａを経て反応チャンバー４に入る。そして、ブレード６ａからサセプタ１３にシリコン基板Ｗを渡す受け渡し位置（サセプタ１３上方）にシリコン基板Ｗが到達するとアーム６ｂの伸長が停止する（図３Ｃ）。その後、シリコン基板Ｗがブレード６ａからサセプタ１３に移される。シリコン基板Ｗが反応チャンバー４に搬入される一方で、アーム６ｂに備わる阻止板６ｂ１もアーム６ｂの伸長にともない、搬送口Ｇ５に向けて移動する。よって、シリコン基板Ｗを反応チャンバー４内に搬入するためにアーム６ｂが伸長するにともない、阻止板６ｂ１と搬送口Ｇ５の距離が狭まることで第３流路１８ａに通じる入口が狭まる（図３Ｂ→Ｃ）。そして、図３Ｃに示すようにシリコン基板Ｗが受け渡し位置に到達した時点（アーム６ｂの伸長が停止した時点）で、阻止板６ｂ１が搬送口Ｇ５を閉鎖する。したがって、阻止板６ｂ１によりシリコン基板Ｗを搬送中に搬送チャンバー３から反応チャンバー４に流通する気体（残留大気）の流れを遮ることができる。更にはアーム６ｂの伸長が停止した時点で阻止板６ｂ１が搬送口Ｇ５を閉鎖し、搬送チャンバー３から反応チャンバー４に流通する気体を遮断できる。よって、反応チャンバー４に汚染が混入するのを抑制でき、製造されるシリコン基板Ｗ’の金属不純物による汚染を低減できる。
【００４４】
阻止板６ｂ１は、アーム６ｂの伸長が停止した時点で搬送口Ｇ５を閉鎖させる以外にも次のようなものを採用できる。例えば、阻止板を第３流路１８ａ内に進入可能に形成し、アーム６ｂ１の伸長が停止した時点で第３流路１８ａ内に阻止板を位置させて第３流路１８ａの一部又は全部を遮るものでもよい。また、搬送口Ｇ５の一部を塞ぐ構成や阻止板と搬送口Ｇ５を近接させて第３流路１８ａに通じる入口を狭める構成にしてもよい。阻止板は、搬送ロボット６がシリコン基板Ｗを搬入及びシリコン基板Ｗ’を搬出する搬送中に第３流路１８ａを流通する気体の流れを阻止できるものであればよい。なお、シリコン基板Ｗ’を反応チャンバー４から搬出する場合でも同様となる。
【００４５】
以下、比較例及び実施例を挙げて本発明をさらに具体的に説明するが、これらは本発明を限定するものではない。
【００４６】
（比較例）
先ず比較例として、図１に示す気相成長装置１から搬送ロボット６の阻止板６ｂ１を取り除き、搬送チャンバー３と反応チャンバー４のガス排出管１６（ガス排気系）にそれぞれ酸素濃度計を取り付けた装置を用意した。外部からロードロックチャンバー２に基板を搬入する前の搬送チャンバー３内及び反応チャンバー４内の酸素濃度は、いずれも測定下限値の０．１ｐｐｍ以下であった。その後、反応チャンバー４内の汚染を評価する汚染評価用の半導体ウェーハの基板となるシリコンウェーハを準備した。準備した基板は、図４に示すようにロードロックチャンバー２に搬入された後、ロードロックチャンバー２から搬送チャンバー３に搬送される（Ｓ１）。基板が搬送チャンバー３に搬送された後、搬送チャンバー３と反応チャンバー４の間の第２隔離弁１１ａを開放する（Ｓ２）。そして、第２隔離弁１１ａが搬送口Ｇ５を開放して、基板を搬送チャンバー３から反応チャンバー４に搬送する（Ｓ３）。また、基板を搬送チャンバー３から反応チャンバー４へ搬送している間における搬送チャンバー３と反応チャンバー４の最大酸素濃度を酸素濃度計により測定した。
【００４７】
基板が反応チャンバー４に搬入された後、第２隔離弁１１ａが閉鎖され（Ｓ４）、その後、基板上にエピタキシャル層を成長した（Ｓ５）。エピタキシャル層の成膜時には、原料ガスのＴＣＳを１０Ｌ／ｍｉｎ、キャリアガスの水素を５０Ｌ／ｍｉｎ流し、基板上に膜厚１０μｍのエピタキシャル層を成長させた。作製した汚染評価用の半導体ウェーハについて、ＩＣＰ−ＭＳ法を用いて、その表面のＭｏ（モリブデン）濃度を測定した（Ｓ６）。
【００４８】
図５に示すように比較例のエピタキシャルウェーハの表面のＭｏ濃度をIＣＰ−ＭＳ法により測定した測定値は、４．２×１０７ａｔоｍｓ／ｃｍ２となった。図６及び図７に示すように基板を搬送チャンバー３から反応チャンバー４に搬送する基板搬送時の搬送チャンバー３の最大酸素濃度は、８４ｐｐｍであり、反応チャンバー４内の最大酸素濃度は１１．４ｐｐｍとなった。
【００４９】
（実施例）
次に実施例について説明する。比較例の装置に阻止板６ｂ１を取り付けた装置を用い、比較例と同様に外部から基板を搬入する前の搬送チャンバー３内及び反応チャンバー４内の酸素濃度が測定下限値の０．１ｐｐｍ以下であることを確認した。そして、比較例と同様のサンプルを作製した後、比較例と同様に基板上にエピタキシャル層を成長させてエピタキシャルウェーハ表面のＭｏ濃度を測定した。
【００５０】
図５に示すように実施例で測定されたＭｏ濃度の測定値は、１．６×１０７ａｔоｍｓ／ｃｍ２となった。図６及び図７に示すように基板を搬送チャンバー３から反応チャンバー４に搬送する基板搬送時の搬送チャンバー３の最大酸素濃度は、８９ｐｐｍであり、反応チャンバー４内の最大酸素濃度は２．１ｐｐｍとなった。図５に示すように比較例に対して実施例ではＭｏ濃度が大きく減少しており、本発明を適用することで金属不純物の発生が抑えられていることが分かった。また、図６に示すように比較例と実施例では搬送チャンバー３内の最大酸素濃度は同程度である。それに対し、図７に示すように実施例では反応チャンバー４内の最大酸素濃度が比較例の最大酸素濃度より大幅に減少している。そのため、本発明を適用することで搬送チャンバー３から反応チャンバー４に混入する搬送チャンバー中の雰囲気ガスが少なくできることが示された。
【００５１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。上記実施形態では、半導体製造装置としてエピタキシャル成長を行う気相成長装置１を例示した。しかし、基板を搬送する基板搬送系統（ロードロックチャンバー２、搬送チャンバー３又はそれに類する装置）を具備し、反応室内で腐食性ガス（反応ガス）を反応させる装置であれば、他の半導体製造装置に用いてもよい。例えば、他の薄膜を基板上に形成するＣＶＤ装置や腐食性ガスを用いて基板表面をエッチングするドライエッチング装置等に採用してもよい。
【００５２】
本明細書では搬送チャンバー３に搬送ロボット６を備える例を説明したが、ロードロックチャンバー２が搬送チャンバー３（搬送機構）を兼ねた装置でもよい。
【符号の説明】
【００５３】
１      気相成長装置          ２      ロードロックチャンバー
３      搬送チャンバー        ４      反応チャンバー
６      搬送ロボット          ６ｂ１  阻止板
７      可動弁                １１ａ  第２隔離弁（開閉部）
１８    バルブゲート          １８ａ  第３流路（連通部）
【図１】
2016058481.tif 000003
【図２】
2016058481.tif 000004
【図３Ａ】
2016058481.tif 000005
【図３Ｂ】
2016058481.tif 000006
【図３Ｃ】
2016058481.tif 000007
【図４】
2016058481.tif 000008
【図５】
2016058481.tif 000009
【図６】
2016058481.tif 000010
【図７】
2016058481.tif 000011